(57)【要約】【課題】結婚披露宴等のイベントで表示される画像文字情報を記憶するための画像処理装置であって、イベントのゲストの想いを示すとともに、ダウンロードに長い時間を要せず、処理負荷の小さな画像文字情報を記憶することのできる画像処理装置を提供する。【解決手段】本発明の画像処理装置Ｔは、イベントのゲストが使用するゲスト端末Ｇと、インターネット２を通じて、通信可能である。画像処理装置Ｔは、ゲスト端末Ｇに入力されたゲストのコメントＣを、ゲスト端末Ｇから受信して記憶する文字情報受信手段２５と、文字情報受信手段２５がコメントＣを受信するたびに、当該受信したコメントＣと、画像処理装置Ｔに記憶されている所定の画像とを対応付ける対応付け手段２６とを備える。【選択図】図１
2016051336.tif 000002
【特許請求の範囲】
【請求項１】
イベントのゲストが使用するゲスト端末と、インターネットを通じて、通信可能な画像処理装置であって、
前記ゲスト端末に入力されたゲストのコメント或いはゲストの名前を含む文字情報を、前記ゲスト端末から受信して記憶する文字情報受信手段と、
前記文字情報受信手段が前記文字情報を受信するたびに、当該受信した文字情報と、前記画像処理装置に記憶される所定の画像とを対応付ける対応付け手段とを備える画像処理装置。
【請求項２】
前記画像処理装置は、インターネットを通じて、イベントのホストが使用するホスト端末と通信可能であり、
前記ホスト端末が前記画像処理装置にログインすることに応じて、複数の画像と、これら画像に対応する前記ゲスト端末のメールアドレスとの入力を受け付けるホスト入力ページを、前記ホスト端末に表示させるホスト入力ページ表示手段と、
前記ホスト入力ページに入力された、前記複数の画像と、これら画像に対応する前記ゲスト端末のメールアドレスとを、前記ホスト端末から受信して記憶する画像アドレス受信手段と、
前記画像アドレス受信手段に受信された画像ごとに、当該画像を表示し、前記文字情報の入力を受け付けるゲスト入力ページを作成するゲスト入力ページ作成手段と、
前記画像アドレス受信手段に受信された前記ゲスト端末のメールアドレス宛に、当該メールアドレスに対応する画像を表示する前記ゲスト入力ページの表示アドレスを、送信するメール送信手段と、
前記ゲスト端末が表示アドレスにアクセスすることに応じて、前記ゲスト入力ページを前記ゲスト端末に表示させるゲスト入力ページ表示手段とをさらに備え、
前記文字情報受信手段は、前記ゲスト入力ページに入力された前記文字情報を、前記ゲスト端末から受信して記憶し、
前記対応付け手段は、前記文字情報受信手段が前記文字情報を受信するたびに、当該受信された文字情報と、前記ゲスト入力ページで表示された画像とを対応付ける請求項１に記載の画像処理装置。
【請求項３】
前記ゲスト端末が前記画像処理装置内のアドレスにアクセスすることに応じて、画像と前記文字情報との入力を受け付ける入力ページを、前記ゲスト端末に表示させる入力ページ表示手段をさらに備え、
前記文字情報受信手段は、前記入力ページに入力された、画像と前記文字情報とを、前記ゲスト端末から受信して記憶し、
前記対応付け手段は、前記画像文字情報受信手段が画像と前記文字情報とを受信するたびに、当該画像と前記文字情報とを対応付ける請求項１に記載の画像処理装置。
【請求項４】
前記画像処理装置は、インターネットを通じて、イベントのホストが使用するホスト端末と通信可能であり、
前記入力ページ表示手段は、前記ホスト端末が前記画像処理装置内のアドレスにアクセスすることに応じて、前記入力ページを、前記ホスト端末に表示させ、
前記文字情報受信手段は、前記入力ページに入力された、画像と前記文字情報とを、前記ホスト端末から受信して記憶する請求項３に記載の画像処理装置。
【請求項５】
前記ゲスト端末または前記ホスト端末は、紙媒体に示されるＱＲコード（登録商標）又はＵＲＬを読み取ることで、前記画像処理装置内のアドレスにアクセスする請求項４に記載の画像処理装置。
【請求項６】
ゲスト端末とインターネットを通じて通信可能な画像処理装置で実行される画像処理方法であって、
前記ゲスト端末に入力されたゲストのコメント或いはゲストの名前を含む文字情報を、前記ゲスト端末から受信して記憶する文字情報受信ステップと、
前記文字情報受信ステップで文字情報が受信されるたびに、当該受信した文字情報と、前記画像処理装置に記憶される所定の画像とを対応付ける対応付けステップとを備える画像処理方法。
【請求項７】
前記画像処理装置は、インターネットを通じて、イベントのホストが使用するホスト端末と通信可能であり、
前記ホスト端末が前記画像処理装置にログインすることに応じて、複数の画像と、これら画像に対応する前記ゲスト端末のメールアドレスとの入力を受け付けるホスト入力ページを、前記ホスト端末に表示させるホスト入力ページ表示ステップと、
前記ホスト入力ページに入力された、前記複数の画像と、これら画像に対応する前記ゲスト端末のメールアドレスとを、前記ホスト端末から受信して記憶する画像アドレス受信ステップと、
前記画像アドレス受信ステップで受信された画像ごとに、当該画像を表示し、前記文字情報の入力を受け付けるゲスト入力ページを作成するゲスト入力ページ作成ステップと、
前記画像アドレス受信ステップで受信された前記ゲスト端末のメールアドレス宛に、当該メールアドレスに対応する画像を表示する前記ゲスト入力ページの表示アドレスを、送信するメール送信ステップと、
前記ゲスト端末が表示アドレスにアクセスすることに応じて、前記ゲスト入力ページを前記ゲスト端末に表示させるゲスト入力ページ表示ステップとをさらに備え、
前記文字情報受信ステップでは、前記ゲスト入力ページに入力された前記文字情報が、前記ゲスト端末から受信されて記憶され、
前記対応付けステップでは、前記文字情報受信ステップで前記文字情報が受信されるたびに、当該受信された文字情報と、前記ゲスト入力ページで表示された画像とが対応付けられる請求項６に記載の画像処理方法。
【請求項８】
前記ゲスト端末が前記画像処理装置内のアドレスにアクセスすることに応じて、画像と前記文字情報との入力を受け付ける入力ページを、前記ゲスト端末に表示させる入力ページ表示ステップをさらに備え、
前記文字情報受信ステップでは、前記入力ページに入力された、画像と前記文字情報とが、前記ゲスト端末から受信されて記憶され、
前記画像文字情報受信ステップで画像と前記文字情報とが受信されるたびに、前記対応付けステップで、当該画像と前記文字情報とが対応付けられる請求項６に記載の画像処理方法。
【請求項９】
前記画像処理装置は、インターネットを通じて、イベントのホストが使用するホスト端末と通信可能であり、
前記入力ページ表示ステップでは、前記ホスト端末が前記画像処理装置内のアドレスにアクセスすることに応じて、前記入力ページが、前記ホスト端末に表示され、
前記文字情報受信ステップでは、前記入力ページに入力された、画像と前記文字情報とが、前記ホスト端末から受信されて記憶される請求項８に記載の画像処理方法。
【請求項１０】
イベントのゲストが使用するゲスト端末とインターネットを通じて通信可能なコンピュータを、
前記ゲスト端末に入力されたゲストのコメント或いはゲストの名前を含む文字情報を、前記ゲスト端末から受信して記憶する文字情報受信部と、
前記文字情報受信部が文字情報を受信するたびに、当該受信した文字情報と、前記コンピュータに記憶される所定の画像とを対応付ける対応付け部として機能させるプログラム。
【請求項１１】
前記コンピュータは、インターネットを通じて、イベントのホストが使用するホスト端末と通信可能であり、
前記コンピュータを、
前記ホスト端末が前記画像処理装置にログインすることに応じて、複数の画像と、これら画像に対応する前記ゲスト端末のメールアドレスとの入力を受け付けるホスト入力ページを、前記ホスト端末に表示させるホスト入力ページ表示部と、
前記ホスト入力ページに入力された、前記複数の画像と、これら画像に対応する前記ゲスト端末のメールアドレスとを、前記ホスト端末から受信して記憶する画像アドレス受信部と、
前記画像アドレス受信部に受信された画像ごとに、当該画像を表示し、前記文字情報の入力を受け付けるゲスト入力ページを作成するゲスト入力ページ作成部と、
前記画像アドレス受信部に受信された前記ゲスト端末のメールアドレス宛に、当該メールアドレスに対応する画像を表示する前記ゲスト入力ページの表示アドレスを、送信するメール送信部と、
前記ゲスト端末が表示アドレスにアクセスすることに応じて、前記ゲスト入力ページを前記ゲスト端末に表示させるゲスト入力ページ表示部としてさらに機能させ、
前記文字情報受信部は、前記ゲスト入力ページに入力された前記文字情報を、前記ゲスト端末から受信して記憶し、
前記対応付け部は、前記文字情報受信部が前記文字情報を受信するたびに、当該受信された文字情報と、前記ゲスト入力ページで表示された画像とを対応付ける請求項１０に記載のプログラム。
【請求項１２】
前記コンピュータを、
前記ゲスト端末が前記画像処理装置内のアドレスにアクセスすることに応じて、画像と前記文字情報との入力を受け付ける入力ページを、前記ゲスト端末に表示させる入力ページ表示部としてさらに機能させ、
前記文字情報受信部は、前記入力ページに入力された、画像と前記文字情報とを、前記ゲスト端末から受信して記憶し、
前記対応付け部は、前記画像文字情報受信部が画像と前記文字情報とを受信するたびに、当該画像と前記文字情報とを対応付ける請求項１０に記載のプログラム。
【請求項１３】
前記コンピュータは、インターネットを通じて、イベントのホストが使用するホスト端末と通信可能であり、
前記入力ページ表示部は、前記ホスト端末が前記画像処理装置内のアドレスにアクセスすることに応じて、前記入力ページを、前記ホスト端末に表示させ、
前記文字情報受信部は、前記入力ページに入力された、画像と前記文字情報とを、前記ホスト端末から受信して記憶する請求項１２に記載のプログラム。
【発明の詳細な説明】
【技術分野】
【０００１】
本発明は、イベントで表示される画像を記憶する画像処理装置、画像処理方法、及び画像処理プログラムに関する。
【背景技術】
【０００２】
従来、結婚式の披露宴にて新郎新婦を紹介するビデオを上映することが行われている。特許文献１には、この種のビデオを作成するシステムが開示されている。特許文献１のシステムは、新郎新婦の端末装置にウェブページを表示するとともに、当該ウェブページで登録された写真やメッセージを用いて、ビデオを作成するものである。
【０００３】
また近年では、感動的で心に訴える映像として、映画のような動画を結婚式の披露宴で上映することが行われている。この動画は、mov形式で保存されるものであり、専門業者が特殊なソフトウェアを使用することで製作されている。
【先行技術文献】
【特許文献】
【０００４】
【特許文献１】特開２０１０−６７０９９号公報
【発明の概要】
【発明が解決しようとする課題】
【０００５】
ところで、結婚披露宴では、一般に、限られた時間内で様々な催しが分刻みで進められることで、新郎新婦がゲストの各々と会話できる時間が短い。また、特定のゲストにのみスピーチの時間が与えられ、その他のゲストにはスピーチの時間が与えられない。これらのことから、自身の想いを新郎新婦に伝えられないゲストが、物足りなさを感じることがある。
【０００６】
この点に関し、特許文献１のシステムは、新郎新婦が登録した写真やメッセージを用いてビデオを作成するものである。このため、特許文献１のシステムは、披露宴のゲストの想いを示すビデオを作成するものではない。
【０００７】
また、上述したmov形式で保存される動画は、製作に多大な時間やコストを要する。また、この種の動画の多くは、動画ファイルの生成（MOVファイルの生成、書き出し）や、ダウンロードに、多大な時間や処理負荷を要するものであり、運用が難しい。
【０００８】
また、例えば、多くのゲストが出席する結婚披露宴では、ゲスト同士が会話できる時間が短いことで、ゲストの各々が、自分以外にどのようなゲストが出席しているのか充分把握できないこともある。
【０００９】
本発明は、上記課題を解決するためになされたものであり、その目的は、結婚披露宴等のイベントで表示されることで、イベントに出席するゲストの想いや名前等を伝えることができるとともに、ダウンロードに長い時間を要せず、処理負荷の小さな画像文字情報を記憶することのできる画像処理装置、画像処理方法、及びプログラムを提供することである。
【課題を解決するための手段】
【００１０】
本発明の第１観点に係る画像処理装置は、イベントのゲストが使用するゲスト端末と、インターネットを通じて、通信可能な画像処理装置であって、前記ゲスト端末に入力されたゲストのコメント或いはゲストの名前を含む文字情報を、前記ゲスト端末から受信して記憶する文字情報受信手段と、前記文字情報受信手段が前記文字情報を受信するたびに、当該受信した文字情報と、前記画像処理装置に記憶される所定の画像とを対応付ける対応付け手段とを備える。
【００１１】
好ましくは、前記画像処理装置は、インターネットを通じて、イベントのホストが使用するホスト端末と通信可能であり、前記ホスト端末が前記画像処理装置にログインすることに応じて、複数の画像と、これら画像に対応する前記ゲスト端末のメールアドレスとの入力を受け付けるホスト入力ページを、前記ホスト端末に表示させるホスト入力ページ表示手段と、前記ホスト入力ページに入力された、前記複数の画像と、これら画像に対応する前記ゲスト端末のメールアドレスとを、前記ホスト端末から受信して記憶する画像アドレス受信手段と、前記画像アドレス受信手段に受信された画像ごとに、当該画像を表示し、前記文字情報の入力を受け付けるゲスト入力ページを作成するゲスト入力ページ作成手段と、前記画像アドレス受信手段に受信された前記ゲスト端末のメールアドレス宛に、当該メールアドレスに対応する画像を表示する前記ゲスト入力ページの表示アドレスを、送信するメール送信手段と、前記ゲスト端末が表示アドレスにアクセスすることに応じて、前記ゲスト入力ページを前記ゲスト端末に表示させるゲスト入力ページ表示手段とをさらに備え、前記文字情報受信手段は、前記ゲスト入力ページに入力された前記文字情報を、前記ゲスト端末から受信して記憶し、前記対応付け手段は、前記文字情報受信手段が前記文字情報を受信するたびに、当該受信された文字情報と、前記ゲスト入力ページで表示された画像とを対応付ける。
【００１２】
好ましくは、前記ゲスト端末が前記画像処理装置内のアドレスにアクセスすることに応じて、画像と前記文字情報との入力を受け付ける入力ページを、前記ゲスト端末に表示させる入力ページ表示手段をさらに備え、前記文字情報受信手段は、前記入力ページに入力された、画像と前記文字情報とを、前記ゲスト端末から受信して記憶し、前記対応付け手段は、前記画像文字情報受信手段が画像と前記文字情報とを受信するたびに、当該画像と前記文字情報とを対応付ける。
【００１３】
好ましくは、前記画像処理装置は、インターネットを通じて、イベントのホストが使用するホスト端末と通信可能であり、前記入力ページ表示手段は、前記ホスト端末が前記画像処理装置内のアドレスにアクセスすることに応じて、前記入力ページを、前記ホスト端末に表示させ、前記文字情報受信手段は、前記入力ページに入力された、画像と前記文字情報とを、前記ホスト端末から受信して記憶する。
【００１４】
好ましくは、前記ゲスト端末または前記ホスト端末は、紙媒体に示されるＱＲコード（登録商標）又はＵＲＬを読み取ることで、前記画像処理装置内のアドレスにアクセスする。
【００１５】
本発明の第２観点に係る画像処理方法は、ゲスト端末とインターネットを通じて通信可能な画像処理装置で実行される画像処理方法であって、前記ゲスト端末に入力されたゲストのコメント或いはゲストの名前を含む文字情報を、前記ゲスト端末から受信して記憶する文字情報受信ステップと、前記文字情報受信ステップで文字情報が受信されるたびに、当該受信した文字情報と、前記画像処理装置に記憶される所定の画像とを対応付ける対応付けステップとを備える。
【００１６】
好ましくは、前記画像処理装置は、インターネットを通じて、イベントのホストが使用するホスト端末と通信可能であり、前記ホスト端末が前記画像処理装置にログインすることに応じて、複数の画像と、これら画像に対応する前記ゲスト端末のメールアドレスとの入力を受け付けるホスト入力ページを、前記ホスト端末に表示させるホスト入力ページ表示ステップと、前記ホスト入力ページに入力された、前記複数の画像と、これら画像に対応する前記ゲスト端末のメールアドレスとを、前記ホスト端末から受信して記憶する画像アドレス受信ステップと、前記画像アドレス受信ステップで受信された画像ごとに、当該画像を表示し、前記文字情報の入力を受け付けるゲスト入力ページを作成するゲスト入力ページ作成ステップと、前記画像アドレス受信ステップで受信された前記ゲスト端末のメールアドレス宛に、当該メールアドレスに対応する画像を表示する前記ゲスト入力ページの表示アドレスを、送信するメール送信ステップと、前記ゲスト端末が表示アドレスにアクセスすることに応じて、前記ゲスト入力ページを前記ゲスト端末に表示させるゲスト入力ページ表示ステップとをさらに備え、前記文字情報受信ステップでは、前記ゲスト入力ページに入力された前記文字情報が、前記ゲスト端末から受信されて記憶され、前記対応付けステップでは、前記文字情報受信ステップで前記文字情報が受信されるたびに、当該受信された文字情報と、前記ゲスト入力ページで表示された画像とが対応付けられる。
【００１７】
好ましくは、前記ゲスト端末が前記画像処理装置内のアドレスにアクセスすることに応じて、画像と前記文字情報との入力を受け付ける入力ページを、前記ゲスト端末に表示させる入力ページ表示ステップをさらに備え、前記文字情報受信ステップでは、前記入力ページに入力された、画像と前記文字情報とが、前記ゲスト端末から受信されて記憶され、
前記画像文字情報受信ステップで画像と前記文字情報とが受信されるたびに、前記対応付けステップで、当該画像と前記文字情報とが対応付けられる。
【００１８】
好ましくは、前記画像処理装置は、インターネットを通じて、イベントのホストが使用するホスト端末と通信可能であり、前記入力ページ表示ステップでは、前記ホスト端末が前記画像処理装置内のアドレスにアクセスすることに応じて、前記入力ページが、前記ホスト端末に表示され、前記文字情報受信ステップでは、前記入力ページに入力された、画像と前記文字情報とが、前記ホスト端末から受信されて記憶される。
【００１９】
本発明の第３観点に係るプログラムは、イベントのゲストが使用するゲスト端末とインターネットを通じて通信可能なコンピュータを、前記ゲスト端末に入力されたゲストのコメント或いはゲストの名前を含む文字情報を、前記ゲスト端末から受信して記憶する文字情報受信部と、前記文字情報受信部が文字情報を受信するたびに、当該受信した文字情報と、前記コンピュータに記憶される所定の画像とを対応付ける対応付け部として機能させる。
【００２０】
好ましくは、前記コンピュータは、インターネットを通じて、イベントのホストが使用するホスト端末と通信可能であり、前記コンピュータを、前記ホスト端末が前記画像処理装置にログインすることに応じて、複数の画像と、これら画像に対応する前記ゲスト端末のメールアドレスとの入力を受け付けるホスト入力ページを、前記ホスト端末に表示させるホスト入力ページ表示部と、前記ホスト入力ページに入力された、前記複数の画像と、これら画像に対応する前記ゲスト端末のメールアドレスとを、前記ホスト端末から受信して記憶する画像アドレス受信部と、前記画像アドレス受信部に受信された画像ごとに、当該画像を表示し、前記文字情報の入力を受け付けるゲスト入力ページを作成するゲスト入力ページ作成部と、前記画像アドレス受信部に受信された前記ゲスト端末のメールアドレス宛に、当該メールアドレスに対応する画像を表示する前記ゲスト入力ページの表示アドレスを、送信するメール送信部と、前記ゲスト端末が表示アドレスにアクセスすることに応じて、前記ゲスト入力ページを前記ゲスト端末に表示させるゲスト入力ページ表示部としてさらに機能させ、前記文字情報受信部は、前記ゲスト入力ページに入力された前記文字情報を、前記ゲスト端末から受信して記憶し、前記対応付け部は、前記文字情報受信部が前記文字情報を受信するたびに、当該受信された文字情報と、前記ゲスト入力ページで表示された画像とを対応付ける。
【００２１】
好ましくは、前記コンピュータを、前記ゲスト端末が前記画像処理装置内のアドレスにアクセスすることに応じて、画像と前記文字情報との入力を受け付ける入力ページを、前記ゲスト端末に表示させる入力ページ表示部としてさらに機能させ、前記文字情報受信部は、前記入力ページに入力された、画像と前記文字情報とを、前記ゲスト端末から受信して記憶し、前記対応付け部は、前記画像文字情報受信部が画像と前記文字情報とを受信するたびに、当該画像と前記文字情報とを対応付ける。
【００２２】
好ましくは、前記コンピュータは、インターネットを通じて、イベントのホストが使用するホスト端末と通信可能であり、前記入力ページ表示部は、前記ホスト端末が前記画像処理装置内のアドレスにアクセスすることに応じて、前記入力ページを、前記ホスト端末に表示させ、前記文字情報受信部は、前記入力ページに入力された、画像と前記文字情報とを、前記ホスト端末から受信して記憶する。
【発明の効果】
【００２３】
本発明によれば、画像処理装置に記憶される画像文字情報（画像及び文字情報を含む情報）には、ゲスト端末から入力されたゲストのコメント或いはゲストの名前が文字情報として含まれる。したがって、画像文字情報がイベントで表示されることで、ゲストの想いやゲストの名前を伝えることができる。そして、文字情報（ゲストのコメント或いはゲストの名前）が所定の画像と対応付けられることで、文字情報を所定の画像と同時に表示できる。このため、ゲストの想い等を具体的なイメージと共に伝えることができる。また、画像が写真等の静止画である場合には、画像処理装置に記憶される画像文字情報のデータ容量を、小さく抑えることができる。したがって、画像文字情報は、ダウンロードに長い時間を要せず、処理負荷の小さなものとなる。
【図面の簡単な説明】
【００２４】
【図１】第１実施形態に係る画像処理装置を含む画像処理システムを示すブロック図である。
【図２】第１実施形態に係る画像処理装置に記憶されるスライド動画の一例を示す図である。
【図３】ゲスト端末やホスト端末の物理的構成例を示すブロック図である。
【図４】画像処理装置の物理的構成例を示すブロック図である。
【図５】ホスト入力ページ表示手段、画像アドレス受信手段、ゲスト入力ページ作成手段、及びメール送信手段によって実行される処理のフロチャートである。
【図６】ゲスト入力ページ表示手段、文字情報受信手段、及び対応付け手段によって実行される処理のフロチャートである。
【図７】ホスト入力ページの一例を示す図である。
【図８】対応テーブルの一例を示す図である。
【図９】ゲスト入力ページの一例を示す図である。
【図１０】ゲスト入力ページの一例を示す図である。
【図１１】問い合わせメールの一例を示す図である。
【図１２】問い合わせメールの一例を示す図である。
【図１３】対応テーブルの一例を示す図である。
【図１４】対応テーブルの一例を示す図である。
【図１５】第２実施形態に係る画像処理装置を含む画像処理システムを示すブロック図である。
【図１６】第２実施形態に係る画像処理装置に記憶されるスライド動画の一例を示す図である。
【図１７】ゲスト端末やホスト端末の物理的構成例を示すブロック図である。
【図１８】入力ページ表示手段、画像文字情報受信手段、及び対応付け手段によって実行される処理のフロチャートである。
【図１９】入力ページの一例を示す図である。
【図２０】入力ページの一例を示す図である。
【図２１】対応テーブルの一例を示す図である。
【図２２】対応テーブルの一例を示す図である。
【発明を実施するための形態】
【００２５】
（第１実施形態）
以下、本発明の第１実施形態について、図面を参照して詳細に説明する。図１は、第１実施形態に係る画像処理装置Ｔを含む画像処理システム１を示すブロック図である。図２は、第１実施形態に係る画像処理装置Ｔに記憶される画像文字情報としてのスライド動画の一例を示す図である。
【００２６】
第１実施形態では、結婚披露宴で上映するスライド動画（図２）が、画像処理装置Ｔで生成及び記憶される。画像処理装置Ｔに記憶されたスライド動画は、ＤＶＤ−ＲＡＭ（Digital Versatile Disc Random-Access Memory）やＤＶＤ−ＲＷ（Digital Versatile Disc ReWritable）などの記憶媒体や、インターネットを通じて、披露宴会場に設置される表示装置（図示せず）にコピーまたはダウンロードされて、表示装置にインストールされたブラウザによって表示される。
【００２７】
スライド動画（図２）には、画像Ｓ１〜Ｓ３や文字情報Ｍ１〜Ｍ３が含まれている。画像Ｓ１〜Ｓ３は、新郎新婦によって入力された静止画（写真）である。例えば、画像Ｓ１には、生後３ヶ月の新郎や、新郎に寄り添う新郎父親が写されている。また例えば、画像Ｓ２には、中学時代の新郎や新郎友人が写されている。新郎父親や新郎友人は、披露宴のゲストである。
【００２８】
文字情報Ｍ１〜Ｍ３には、それぞれ、画像Ｓ１〜Ｓ３についての説明Ｄ１〜Ｄ３や、ゲストのコメントＣ１〜Ｃ３や、ゲストの名前Ｎ１〜Ｎ３が含まれる。説明Ｄ１〜Ｄ３や名前Ｎ１〜Ｎ３は、新郎新婦によって入力された情報である。
【００２９】
コメントＣ１〜Ｃ３は、ゲストによって入力された情報である。例えば、コメントＣ１「こんなに小さかった孝が結婚するとは夢にも思っていませんでした」は、新郎父親によって入力された情報である。また例えば、コメントＣ２「修学旅行の枕投げ、楽しかったね」は、新郎友人（山田太郎）によって入力された情報である。
【００３０】
以下では、図１に示す画像処理システム１の具体的な構成や、スライド画像を生成及び記憶するために画像処理装置Ｔで実行される処理について説明する。
【００３１】
図１に示すように、画像処理システム１は、画像処理装置Ｔと、ゲスト端末Ｇ１、Ｇ２、Ｇ３、・・・Ｇｎと、ホスト端末Ｈとを備える。画像処理装置Ｔは、インターネット２を通じて、ゲスト端末Ｇ１、Ｇ２、Ｇ３、・・・Ｇｎや、ホスト端末Ｈと通信可能である。
【００３２】
ゲスト端末Ｇ１、Ｇ２、Ｇ３、・・・Ｇｎは、それぞれ披露宴のゲストに使用される。例えば、ゲスト端末Ｇ１は新郎父親に使用される。また例えば、ゲスト端末Ｇ２は新郎友人（山田太郎）に使用される。ホスト端末Ｈは、披露宴のホストである新郎新婦に使用される。ゲスト端末Ｇやホスト端末Ｈは、例えば、家庭に設置されるＰＣ(Personal Computer)である。
【００３３】
図３は、ゲスト端末Ｇやホスト端末Ｈの物理的構成例を示すブロック図である。図３に示すように、ゲスト端末Ｇやホスト端末Ｈは、制御部６０、主記憶部６１、外部記憶部６２、操作部６３、表示部６４、及び送受信部６５を備え、これらはバス６６を介して相互に接続される。
【００３４】
制御部６０は、ＣＰＵ（Central Processing Unit）等から構成され、外部記憶部６２に記憶されている制御プログラムに従って処理を実行することにより、ゲスト端末Ｇやホスト端末Ｈの各部の動作を制御する。
【００３５】
主記憶部６１は、ＲＡＭ（Random-Access Memory）等から構成され、外部記憶部６２に記憶されている制御プログラムをロードし、制御部６０の作業領域として用いられる。
【００３６】
外部記憶部６２は、フラッシュメモリ、ハードディスク、ＤＶＤ−ＲＡＭ、ＤＶＤ−ＲＷ等の不揮発性メモリから構成され、前記の制御プログラムを予め記憶し、また、制御部６０の指示に従って、このプログラムが記憶するデータを制御部６０に供給し、また、制御部６０から供給されたデータを記憶する。
【００３７】
操作部６３は、キーボード及びマウスなどのポインティングデバイス等と、キーボード及びポインティングデバイス等をバス６６に接続するインターフェース装置から構成される。ユーザは、操作部６３を操作して、各種の情報を入力することができる。例えば、所定のログイン画面にてログインＩＤ（Identification Data）及びパスワードを入力することや、種々のＵＲＬへのアクセスを指示することができる。
【００３８】
表示部６４は、例えばＬＣＤ（Liquid Crystal Display）などから構成され、制御部６０による制御の下、操作のための画像や、アクセス先の画像処理装置Ｔから取得された画像など、種々の画像を表示する。
【００３９】
送受信部６５は、インターネット２に接続する網終端装置または無線通信装置、及びそれらと接続するシリアルインタフェース又はＬＡＮ（Local Area Network）インタフェースから構成されている。送受信部６５は、制御部６０による制御のもと、ユーザから入力された各種の情報を画像処置装置Ｔに送信したり、アクセス先の画像処置装置Ｔから各種の情報を受信する。
【００４０】
画像処理装置Ｔは、スライド動画を提供する管理者に使用される。図４は、画像処理装置Ｔの物理的構成例を示すブロック図である。図４に示すように、画像処理装置Ｔは、制御部１０、主記憶部１１、外部記憶部１２、操作部１３、表示部１４、及び送受信部１５を備える。主記憶部１１、外部記憶部１２、操作部１３、表示部１４、及び送受信部１５は、いずれも内部バス１６を介して制御部１０に接続される。
【００４１】
制御部１０は、ＣＰＵ（Central Processing Unit）等から構成され、外部記憶部１２に記憶されている制御プログラムに従って処理を実行することにより、画像処理装置Ｔの各部の動作を制御する
【００４２】
主記憶部１１は、ＲＡＭ（Random-Access Memory）等から構成され、外部記憶部１２に記憶されている制御プログラムをロードし、制御部１０の作業領域として用いられる。
【００４３】
外部記憶部１２は、フラッシュメモリ、ハードディスク、ＤＶＤ−ＲＡＭ、ＤＶＤ−ＲＷ等の不揮発性メモリから構成され、前記の制御プログラムを予め記憶し、また、制御部１０の指示に従って、このプログラムが記憶するデータを制御部１０に供給し、また、制御部１０から供給されたデータを記憶する。スライド動画のデータは、外部記憶部１２に記憶される。
【００４４】
操作部１３は、キーボード及びマウスなどのポインティングデバイス等と、キーボード及びポインティングデバイス等を内部バス１６に接続するインターフェース装置から構成される。操作部１３を介して、各種情報が入力され、当該入力された情報は、制御部１０に供給される。
【００４５】
表示部１４は、ＣＲＴ（Cathode Ray Tube）又はＬＣＤ（Liquid Crystal Display）などから構成される。
【００４６】
送受信部１５は、インターネット２に接続する網終端装置または無線通信装置、及びそれらと接続するシリアルインタフェース又はＬＡＮ（Local Area Network）インタフェースから構成されている。
【００４７】
画像処理装置Ｔでは、制御プログラムが、制御部１０、主記憶部１１、外部記憶部１２、操作部１３、表示部１４、及び送受信部１５などを資源として用いて処理されることによって、図１に示すように、ホスト入力ページ表示手段２０、画像アドレス受信手段２１、ゲスト入力ページ作成手段２２、メール送信手段２３、ゲスト入力ページ表示手段２４、文字情報受信手段２５、及び対応付け手段２６が構成される。
【００４８】
図５は、ホスト入力ページ表示手段２０、画像アドレス受信手段２１、ゲスト入力ページ作成手段２２、及びメール送信手段２３によって実行される処理のフロチャートを示している。図５の処理は、スライド動画に用いる画像Ｓや、コメントＣの依頼先に関する情報（コメントＣを依頼するゲストの名前Ｎやメールアドレス）を、新郎新婦に入力させるために実行される。
【００４９】
図６は、ゲスト入力ページ表示手段２４、文字情報受信手段２５、及び対応付け手段２６によって実行される処理のフロチャートを示している。図６の処理は、ゲストにコメントＣを入力させるために、図５の処理の後に実行される。以下、図５及び図６の処理について順次説明する。
【００５０】
図５の処理は、ホスト端末Ｈが画像処理装置Ｔにログインすることに応じて開始される。このログインを行うために、新郎新婦には、管理者から固有のＩＤ及びパスワードが予め付与されており、管理者は、新郎新婦固有のログイン用ページ（図示せず）を予め画像処理装置Ｔに作成している。そして、新郎新婦によるホスト端末Ｈへの操作によって、ログイン用ページへのアクセスや、ＩＤ及びパスワードの入力が行われる。これにより、ホスト端末Ｈが画像処理装置Ｔにログインし、このログインに応じて、図５の処理が開始される。
【００５１】
上記のログインが行なわれることに応じて、ホスト入力ページ表示手段２０は、ホスト入力ページを、ホスト端末Ｈに表示させる（ステップＳ１０１）。
【００５２】
図７は、ホスト入力ページの一例を示す。ホスト入力ページには、画像Ｓを入力するための「画像入力ボックス２７ａ、２７ｂ、２７ｃ・・・」や、画像Ｓに関連するゲストにコメントを依頼するための「ゲスト名入力ボックス２８ａ、２８ｂ、２８ｃ・・・」「メールアドレス入力ボックス２９ａ、２９ｂ、２９ｃ・・・」「画像説明ボックス３０ａ、３０ｂ、３０ｃ・・・」「依頼アイコン３１ａ、３１ｂ、３１ｃ・・・」が表示されている。
【００５３】
このホスト入力ページでは、「画像入力ボックス２７」が複数設けられることで、新郎新婦は、披露宴で表示したい複数の画像Ｓを入力することができる。
【００５４】
また、「画像入力ボックス２７」の各々に対して、「ゲスト名入力ボックス２８」・「メールアドレス入力ボックス２９」・「画像説明ボックス３０」・「依頼アイコン３１」が設けられることで、新郎新婦は、「画像入力ボックス２７」に入力される各画像Ｓについて、ゲストにコメントＣを依頼することができる。「ゲスト名入力ボックス２８」には、画像Ｓに関連するゲストの名前Ｎが入力される。「メールアドレス入力ボックス２９」には、画像Ｓに関連するゲストが使用するゲスト端末Ｇのメールアドレスが入力される。「画像説明ボックス３０」には、画像Ｓについての説明Ｄが入力される。
【００５５】
図７の例では、「画像入力ボックス２７ａ」に、新郎や新郎父親が写る画像Ｓ１（図２）が入力されている。また、「画像入力ボックス２７ａ」に対応する「ゲスト名入力ボックス２８ａ」・「メールアドレス入力ボックス２９ａ」・「画像説明ボックス３０ａ」には、それぞれ、「お父様（新郎父親の名前Ｎ１）」・「papa@abc.com（新郎父親が使用するゲスト端末Ｇ１のメールアドレス）」・「生まれて３ヶ月、父に抱かれて（画像Ｓ１についての説明Ｄ１）」が入力されている。これらボックス２８ａ、２９ａ、３０ａに対する情報の入力は、画像Ｓ１に写る新郎父親に、コメントＣを依頼すべく行われたものである。
【００５６】
また、「画像入力ボックス２７ｂ」には、新郎や新郎友人（山田太郎）が写る画像Ｓ２（図２）が入力されている。また、「画像入力ボックス２７ｂ」に対応する「ゲスト名入力ボックス２８ｂ」・「メールアドレス入力ボックス２９ｂ」・「画像説明ボックス３０ｂ」には、それぞれ、「山田太郎様（新郎友人の名前Ｎ２）」・「yamada@def.jp（新郎友人が使用するゲスト端末Ｇ２のメールアドレス）」・「中学校の修学旅行の写真です（画像Ｓ２についての説明Ｄ２）」が入力されている。これらボックス２８ｂ、２９ｂ、３０ｂに対する情報の入力は、画像Ｓ２に写る新郎友人（山田太郎）に、コメントＣを依頼すべく行われたものである。
【００５７】
新郎新婦は、ボックス２７，２８，２９，３０に「画像Ｓ」・「ゲストの名前Ｎ」・「ゲスト端末Ｇのメールアドレス」・「画像Ｓについての説明Ｄ」を入力した後、ボックス２７，２８，２９，３０に対応する依頼アイコン３１を指定する操作を行う。これにより、ボックス２７，２８，２９，３０に入力された情報が、ホスト端末Ｈから、画像処理装置Ｔに送信される。
【００５８】
画像アドレス受信手段２１は、ホスト入力ページから入力された情報（「画像Ｓ」・「ゲストの名前Ｎ」・「ゲスト端末Ｇのメールアドレス」・「画像Ｓについての説明Ｄ」）を、ホスト端末Ｈから受信して、外部記憶部１２に記憶する（図５のステップＳ１０２）。
【００５９】
このステップＳ１０２では、図８に示す対応テーブルが作成されて、外部記憶部１２に記憶される。この対応テーブルは、ステップＳ１０２で受信された「画像Ｓ」のデータ名と「ゲストの名前Ｎ」・「ゲスト端末Ｇのメールアドレス」・「画像Ｓについての説明Ｄ」との対応関係を示すものである。この対応テーブルでは、ホスト端末Ｈからの受信順序に従って、データが記録されている。
【００６０】
図５のステップＳ１０２の後では、ゲスト入力ページ作成手段２２が、ステップＳ１０２で受信された画像Ｓごとに、ゲスト入力ページを作成して、外部記憶部１２に記憶する（図５のステップＳ１０３）。図９や図１０は、ゲスト入力ページの例を示している。このゲスト入力ページは、ゲストに画像Ｓや説明Ｄを閲覧させて、ゲストにコメントＣを入力させるためのものである。
【００６１】
図９のゲスト入力ページは、画像Ｓ１に対して作成されたものである。図９のゲスト入力ページには、画像Ｓ１や、画像Ｓ１についての説明Ｄ１「生まれて３ヶ月、父に抱かれて」が表示されている。
【００６２】
図１０のゲスト入力ページは、画像Ｓ２に対して作成されたものである。図１０のゲスト入力ページには、画像Ｓ２や、画像Ｓ２についての説明Ｄ２「中学校の修学旅行の写真です」が表示されている。
【００６３】
また、ゲスト入力ページ（図９や図１０）には、上述した画像Ｓや説明Ｄに加えて、コメントＣを入力するための「コメント入力ボックス３２」や、コメントＣを画像処理装置Ｔに送信するための「送信アイコン３３」が表示されている。
【００６４】
図５のステップＳ１０３の後では、メール送信手段２３が、ステップＳ１０２で受信されたゲスト端末Ｇのメールアドレス宛に、問い合わせメールを送信する（図５のステップＳ１０４）。図１１や図１２は、問い合わせメールの例を示している。この問い合わせメールには、ステップＳ１０３で作成されたゲスト入力ページの表示アドレスが示されている。
【００６５】
図１１は、新郎父親が使用するゲスト端末Ｇ１のメールアドレス「papa@abc.com」宛に送信される問い合わせメールを示している。図１１の問い合わせメールには、図９のゲスト入力ページの表示アドレス「http://www.abcd.com/gazouS1」が示されている。この表示アドレスは、図９のゲスト入力ページが格納された画像処理装置Ｔ内のアドレスである。
【００６６】
図１２は、新郎友人が使用するゲスト端末Ｇ２のメールアドレス「yamada@def.jp」宛に送信される問い合わせメールを示している。図１２の問い合わせメールには、図１０のゲスト入力ページの表示アドレス「http://www.abcd.com/gazouS2」が示されている。この表示アドレスは、図１０のゲスト入力ページが格納された画像処理装置Ｔ内のアドレスである。
【００６７】
以上で図５の処理が終了し、この後、図６の処理が実行される。図６の処理は、問い合わせメールを受信したゲスト端末Ｇが、問い合わせメール（図１１や図１２）に示される表示アドレスにアクセスすることに応じて開始される。以下、図６の処理について説明する。
【００６８】
ゲスト入力ページ表示手段２４は、ゲスト端末Ｇが問い合わせメールの表示アドレスにアクセスすることに応じて、ゲスト端末Ｇにゲスト入力ページ（図９や図１０）を表示させる（ステップＳ２０１）。
【００６９】
例えば、図１１の問い合わせメールを受信したゲスト端末Ｇ１から、表示アドレス「http://www.abcd.com/gazou1」へのアクセスが行われると、図９のゲスト入力ページが、ゲスト端末Ｇ１に表示される。このゲスト入力ページは、ゲスト端末Ｇ１のメールアドレス「papa@abc.com」に対応する画像Ｓ１や、画像Ｓ１についての説明Ｄ１「生まれて３ヶ月、父に抱かれて」を表示するものである。
【００７０】
図９のゲスト入力ページでは、「コメント入力ボックス３２」に、コメントＣ１「こんなに小さかった孝が結婚するとは夢にも思っていませんでした」が入力されている。このコメントＣ１は、画像Ｓ１や説明Ｄ１を閲覧した新郎父親が、幼かった新郎が成長して結婚することに感無量の想いに浸り、この想いをゲスト端末Ｇ１から入力したものである。
【００７１】
また、図１２の問い合わせメールを受信したゲスト端末Ｇ２から、表示アドレス「http://www.abcd.com/gazou2」へのアクセスが行われると、図１０のゲスト入力ページが、ゲスト端末Ｇ２に表示される。このゲスト入力ページは、ゲスト端末Ｇ２のメールアドレス「yamada@def.jp」に対応する画像Ｓ２や、画像Ｓ２についての説明Ｄ２「中学校の修学旅行の写真です」を表示するものである。
【００７２】
図１０のゲスト入力ページでは、「コメント入力ボックス３２」に、コメントＣ２「修学旅行の枕投げ、楽しかったね」が入力されている。このコメントＣ２は、画像Ｓ２や説明Ｄ２を閲覧した新郎友人（山田太郎）が、中学校の修学旅行が楽しかったことを思い出し、その思い出をゲスト端末Ｇ２から入力したものである。
【００７３】
ゲストは、「コメント入力ボックス３２」にコメントＣを入力した後、「送信アイコン３３」を指定する操作を行う。これにより、「コメント入力ボックス３２」に入力されたコメントＣが、画像処理装置Ｔに送信される。
【００７４】
文字情報受信手段２５は、ゲスト入力ページのコメント入力ボックス３２に入力されたコメントＣを、ゲスト端末Ｇから受信して、外部記憶部１２に記憶する（図６のステップＳ２０２）。
【００７５】
対応付け手段２６は、ステップＳ２０２で受信されたコメントＣを、所定の画像と対応付ける（図６のステップＳ２０３）。具体的には、対応付け手段２６は、図８の対応テーブルにおいて、ステップＳ２０１でゲスト端末Ｇに表示された画像Ｓ（ゲスト入力ページ（図９，図１０）内の画像Ｓ）に、ステップＳ２０２で受信されたコメントＣを対応付ける。
【００７６】
以上のステップＳ２０１〜Ｓ２０３は、ゲスト端末Ｇ１、Ｇ２、Ｇ３、・・・Ｇｎの各々が問い合わせメールの表示アドレス（図１１や図１２）にアクセスするたびに実行される。そして、各回のステップＳ２０２では、ゲスト端末Ｇから受信されたコメントＣが、外部記憶部１２に記憶される。また、各回のステップＳ２０３では、対応テーブルにおいて、ステップＳ２０２で受信されたコメントＣが、ステップＳ２０１でゲスト端末Ｇに表示された画像Ｓに対応付けられる。
【００７７】
図１３は、ゲスト端末Ｇから受信されたコメントＣが画像Ｓに対応付けられた対応テーブルを示している。例えば、コメントＣ１は、ある回のステップＳ２０２で、ゲスト端末Ｇ１から受信されたものである。このコメントＣ１は、同回のステップＳ２０１でゲスト端末Ｇ１に表示された画像Ｓ１（図９）のデータ名「gazouS1.bmp」に、対応付けられている。
【００７８】
また例えば、コメントＣ２は、別の回のステップＳ２０２で、ゲスト端末Ｇ２から受信されたものである。このコメントＣ２は、同回のステップＳ２０１でゲスト端末Ｇ２に表示された画像Ｓ２（図１０）のデータ名「gazouS2.bmp」に、対応付けられている。
【００７９】
ステップＳ１０２で記憶された画像Ｓ・名前Ｎ・説明Ｄや、ステップＳ２０２で記憶されたコメントＣや、ステップＳ２０３でコメントＣが画像Ｓに対応付けられた対応テーブル（図１３）のデータが、スライド動画のデータに相当する。
【００８０】
スライド動画を表示装置に表示する際には、上記のスライド動画のデータ（画像Ｓ・名前Ｎ・説明Ｄ・コメントＣ・対応テーブルのデータ）が、ＤＶＤ−ＲＡＭやＤＶＤ−ＲＷやインターネット２などを通じて、表示装置にコピーまたはダウンロードされる。そして、このコピーまたはダウンロードされたスライド動画のデータが、表示装置のブラウザによって表示される。この際には、対応テーブル（図１３）に示される画像Ｓ１→画像Ｓ２→画像Ｓ３・・・の順序に従って、画像Ｓ１、Ｓ２、Ｓ３・・・が順次表示される。また、「名前Ｎ１、Ｎ２、Ｎ３・・・」「説明Ｄ１、Ｄ２、Ｄ３・・・」「コメントＣ１、Ｃ２、Ｃ３・・・」が、それぞれ、対応テーブル（図１３）で対応付けられている「画像Ｓ１、Ｓ２、Ｓ３・・・」と同時に表示される。
【００８１】
第１実施形態によれば、画像処理装置Ｔに記憶されるスライド動画（画像文字情報）には、ゲスト端末Ｇから入力されたコメントＣ（文字情報）が含まれる。したがって、このスライド動画（画像文字情報）が披露宴で上映（表示）されることで、ゲストの想いを他のゲストや新郎新婦に伝えることができる。
【００８２】
また、スライド動画（画像文字情報）には、ホスト端末Ｈから入力されたゲストの名前Ｎが含まれる。したがって、スライド動画（画像文字情報）が上映（表示）されることで、当該名前のゲストがイベントに出席していることを伝えることができる。
【００８３】
また、ゲストのコメントＣや名前Ｎが所定の画像Ｓと対応付けられることで、コメントＣや名前Ｎを所定の画像Ｓと同時に表示できる。このため、ゲストの想いを具体的なイメージと共に伝えることができる。また、コメントＣと名前Ｎを同時に表示できるので、コメントＣの入力者を伝えることができる。
【００８４】
なお、コメントＣや名前Ｎは、画像Ｓとは関係なく、独自にスクロール表示されてもよい。このようにする場合でも、コメントＣや名前Ｎが表示されることで、ゲストの想いやゲストの名前を伝えることができる。例えば、Javascript等のプログラムによれば、画像Ｓ１〜Ｓｎを所定の時間間隔で順次表示させながら、コメントＣ１〜Ｃｎや名前Ｎ１〜Ｎｎを、画面の上下方向或いは左右方向にスクロール表示させることができる。
【００８５】
また、スライド動画に含ませる画像Ｓを、写真等の静止画とすることで、スライド動画のデータ容量を、小さく抑えることができる。したがって、スライド動画は、ダウンロードに長い時間を要せず、処理負荷の小さなものとなる。
【００８６】
また、ゲスト端末Ｇから画像処理装置ＴにコメントＣが受信されると同時に、スライド動画にコメントＣが追加される。このため、上記コメントＣを追加する更新に時間を要しない。
【００８７】
また、ホスト入力ページ（図７）で複数の画像Ｓを入力可能であることで、スライド動画（図２）に、複数の画像Ｓを含ませることができる。そして、ホスト入力ページ（図７）で入力された画像Ｓごとに、ゲスト入力ページ（図９，図１０）が作成されるとともに、各ゲスト入力ページの表示アドレス（図１１，図１２）がそれぞれゲスト端末Ｇに送信されて、ゲスト入力ページ（図９，図１０）へのコメントＣの入力が促される。このため、ホスト入力ページ（図７）で入力された画像Ｓごとに、ゲストからコメントＣを得ることができる。
【００８８】
また、ホスト入力ページ（図７）で、各画像Ｓに関連するゲストのメールアドレス（ゲスト端末Ｇのメールアドレス）が入力される場合には、各ゲスト入力ページの表示アドレス（図１１，図１２）は、画像Ｓに関連するゲスト宛に送信される。このため、ホスト入力ページ（図７）で入力された画像Ｓごとに、当該画像Ｓに関連するゲストからコメントＣを得ることができる（例えば、画像Ｓ１については、画像Ｓ１に写る新郎父親からコメントＣ１を得ることができ、画像Ｓ２については、画像Ｓ２に写る新郎友人からコメントＣ２を得ることができる）。
【００８９】
なお、第１実施形態では、スライド動画（図２）に「画像についての説明Ｄ」が含まれる例を示したが、「画像についての説明Ｄ」はスライド動画（図２）に含まれなくてもよい。この場合、ホスト入力ページ（図７）から、「画像説明ボックス３０ａ、３０ｂ、３０ｃ・・・」は省略され、ゲスト入力ページ（図９，図１０）は「画像についての説明Ｄ」を示さないものとなる。
【００９０】
また、第１実施形態では、ホスト入力ページ（図７）から、ゲストの名前Ｎを入力する例を示したが、ゲストの名前Ｎは、ゲスト入力ページ（図９，図１０）から入力されてもよい。この場合、ゲスト入力ページ（図９，図１０）には、ゲストの名前Ｎを入力するためのボックスが設けられる。そして、図６のステップＳ２０２では、ゲスト入力ページに入力されたコメントＣやゲストの名前Ｎが受信され、図６のステップＳ２０３では、対応テーブルにおいて、ステップＳ２０２で受信されたコメントＣやゲストの名前Ｎが、ステップＳ２０１でゲスト端末Ｇに表示された画像Ｓに対応付けられる。
【００９１】
また、画像処理装置ＴにインストールしたJavascriptやその他のプログラムにより、画像Ｓや文字情報Ｍ（名前Ｎ・説明Ｄ・コメントＣ）を表示する順序や時間が設定されてもよい。この設定は、例えば、図１３の対応テーブルに含まれるデータを並び替えたり、図１３の対応テーブルに表示時間を追記することで実現される。図１４の対応テーブルは、図１３の対応テーブルに対して、上述のデータの並び換えや、表示時間Ｔ１〜Ｔ３の追記を行なったものである。図１４の対応テーブルが表示装置にコピーまたはダウンロードされた場合には、画像Ｓ２・文字情報Ｍ２（名前Ｎ２・説明Ｄ２・コメントＣ２）→画像Ｓ３・文字情報Ｍ３（名前Ｎ３・説明Ｄ３・コメントＣ３）→画像Ｓ１・文字情報Ｍ１（名前Ｎ１・説明Ｄ１・コメントＣ１）・・・の順序で、画像Ｓ・文字情報Ｍが表示される。また、画像Ｓ２・文字情報Ｍ２の表示時間Ｔ２が８秒とされ、画像Ｓ３・文字情報Ｍ３の表示時間Ｔ３が６秒とされ、画像Ｓ１・文字情報Ｍ１の表示時間Ｔ１が１０秒とされる。
【００９２】
また、第１実施形態では、披露宴用のスライド動画を、画像処理装置Ｔに記憶させる例を示したが、パーティや忘年会などの各種イベントで上映するスライド動画を記憶するためにも、画像処理装置Ｔを使用できる。例えば、忘年会用のスライド動画を画像処理装置Ｔに記憶させる場合には、忘年会の幹事に対して、管理者から固有のＩＤ及びパスワードが予め付与され、管理者は、忘年会の幹事のログイン用ページ（図示せず）を予め画像処理装置Ｔに作成する。そして、忘年会の幹事がホスト端末Ｈを操作して、ログイン用ページへのアクセスや、ログイン用ページへのＩＤ及びパスワードの入力が行われることで、ホスト端末Ｈが画像処理装置Ｔにログインして、図５の処理が開始される。
【００９３】
（第２実施形態）
次に、本発明の第２実施形態について、図面を参照して詳細に説明する。図１５は、第２実施形態に係る画像処理装置Ｕを含む画像処理システム３を示すブロック図である。図１６は、第２実施形態に係る画像処理装置Ｕに記憶される画像文字情報としてのスライド動画の一例を示す図である。
【００９４】
第２実施形態の画像処理装置Ｕも、結婚披露宴で上映するスライド動画（図１６）を生成及び記憶するものである。当該スライド動画は、ＤＶＤ−ＲＡＭやＤＶＤ−ＲＷやインターネット２を通じて表示装置（図示せず）にコピーまたはダウンロードされて、表示装置のブラウザによって上映される。
【００９５】
図１６のスライド動画には、披露宴当日にゲストや新郎新婦によって入力された画像Ｓ１〜Ｓ３や文字情報Ｍ１〜Ｍ３が含まれている。画像Ｓ１〜Ｓ３は、いずれも静止画（写真）である。文字情報Ｍの各々には、コメントＣや名前Ｎが含まれている。名前Ｎは、画像ＳやコメントＣの入力者の名前である。
【００９６】
例えば、画像Ｓ１や文字情報Ｍ１は、新郎友人（山田太郎）によって入力されたものである。画像Ｓ１は、新郎友人や新郎友人の子供が写った写真である。文字情報Ｍ１には、新郎友人のコメントＣ１や、新郎友人の名前Ｎ１が含まれている。
【００９７】
また例えば、画像Ｓ３や文字情報Ｍ３は、新郎新婦（佐藤孝・田中花子）によって入力されたものである。画像Ｓ３は、新郎新婦が写った写真である。文字情報Ｍ３には、新郎新婦のコメントＣ３や、新郎新婦の名前Ｎ３が含まれている。
【００９８】
以下、図１５に示す画像処理システム３の具体的な構成や、スライド画像を生成及び記憶するために画像処理装置Ｕで実行される処理について説明する。
【００９９】
画像処理システム３は、画像処理装置Ｕと、ゲスト端末Ｐ１、Ｐ２、Ｐ３、・・・Ｐｎと、ホスト端末Ｑとを備える。画像処理装置Ｕは、インターネット２を通じて、ゲスト端末Ｐ１、Ｐ２、Ｐ３、・・・Ｐｎや、ホスト端末Ｑと通信可能である。
【０１００】
ゲスト端末Ｐ１、Ｐ２、Ｐ３、・・・Ｐｎは、それぞれ披露宴のゲストに使用される。例えば、ゲスト端末Ｐ１は新郎友人（山田太郎）に使用される。ホスト端末Ｑは、披露宴のホストである新郎新婦（佐藤孝・田中花子）に使用される。ゲスト端末Ｐやホスト端末Ｑの各々は、例えば、スマートフォンなどの携帯電話機や、タブレット型情報端末である。
【０１０１】
図１７は、ゲスト端末Ｇやホスト端末Ｈの物理的構成例を示すブロック図である。図１７に示すように、ゲスト端末Ｇやホスト端末Ｈは、制御部７０、表示部７１、操作部７２、撮像部７３、読取部７４、通信部７５、及び記憶部７６を備え、これらはバス７７を介して相互に接続されている。
【０１０２】
制御部７０は、例えば、ＣＰＵ、ＲＯＭ(Read Only Memory)、ＲＡＭ(Random Access Memory)などから構成され、ＣＰＵが、ＲＡＭをワークメモリとして用いてＲＯＭに格納されている動作プログラムを実行することにより、ゲスト端末Ｇやホスト端末Ｈの各部の動作を制御する。
【０１０３】
表示部７１は、液晶ディスプレイ（ＬＣＤ）装置等から構成され、操作のための画像や、アクセス先の画像処理装置Ｕから取得された画像など、種々の画像を表示する。
【０１０４】
操作部７２は、ハードキーや表示部７１上のタッチパネルであり、各種情報を入力可能である。
【０１０５】
撮像部７３は、ＣＣＤ（Charge Coupled Devices）カメラやＣＭＯＳ（Complementary Metal Oxide Semiconductor）カメラなどである。
【０１０６】
読取部７４は、撮像部が撮像したＱＲコード（登録商標）などのバーコードやＵＲＬの文字列を示す画像から、ＵＲＬを読み取ることが可能である。
【０１０７】
通信部７５は、制御部７０の制御に従って、無線ルータや無線基地局を介してインターネット２に接続し、画像形成装置Ｕとの通信を行う。通信部７５は、インターネット２を介して、読取部７４が読み取ったＵＲＬにアクセスできる。
【０１０８】
記憶部７６は、例えばフラッシュメモリ等から構成され、操作部７２から入力された情報や、撮像部７３により撮影された画像データ等、各種情報を格納する。
【０１０９】
画像処理装置Ｕは、スライド動画を提供する管理者に使用されるものであって、図４と同様の物理的構成を備える。画像処理装置Ｕでは、外部記憶部１２に記憶されている制御プログラムが、制御部１０、主記憶部１１、外部記憶部１２、操作部１３、表示部１４、及び送受信部１５などを資源として用いて処理されることによって、図１５に示すように、入力ページ表示手段４０、画像文字情報受信手段４１、及び対応付け手段４２が構成される。図１８は、これらの手段４０，４１，４２によって実行される処理のフロチャートを示している。
【０１１０】
図１８の処理は、ゲスト端末Ｐ１、Ｐ２、Ｐ３、・・・Ｐｎやホスト端末Ｑのいずれかが、画像処理装置Ｕにアクセスすることに応じて開始される。このアクセスを行なわせるために、管理者は、予め、後述の入力ページ（図１９，図２０）を画像処理装置Ｕに作成するとともに、当該入力ページのアドレスを記載した紙媒体（例えば名刺サイズのカード）を、披露宴当日にゲストや新郎新婦に配布する。この紙媒体では、入力ページのアドレスが、ＱＲコード（登録商標）或いはＵＲＬによって示されている。ゲストや新郎新婦が、この紙媒体に示されるＱＲコード（登録商標）或いはＵＲＬをゲスト端末Ｐやホスト端末Ｑに読み取らせることで、ゲスト端末Ｐやホスト端末Ｑが入力ページのアドレスにアクセスする。このアクセスに応じて、図１８の処理が開始される。以下、図１８の処理について説明する。
【０１１１】
ゲスト端末Ｐまたはホスト端末Ｑが入力ページのアドレスにアクセスすることに応じて、入力ページ表示手段４０は、入力ページを、アクセス元のゲスト端末Ｐまたはホスト端末Ｑに表示させる（ステップＳ３０１）。
【０１１２】
図１９や図２０は、入力ページの例を示している。入力ページには、画像Ｓを入力するための「画像入力ボックス５０」や、入力者の名前Ｎを入力するための「名前入力ボックス５１」や、コメントＣを入力するための「コメント入力ボックス５２」や、画像Ｓ・名前Ｎ・コメントＣを送信するための「送信アイコン５３」が表示されている。
【０１１３】
図１９の入力ページは、新郎友人（山田太郎）が使用するゲスト端末Ｐ１に表示されたものである。図１９の入力ページでは、「画像入力ボックス５０」に画像Ｓ１が入力され、「ゲスト名入力ボックス５１」に「山田太郎（新郎友人の名前Ｎ１）」が入力され、「コメント入力ボックス５２」に「結婚おめでとう。子供の次郎と一緒に出席しています。（新郎友人のコメントＣ１）」が入力されている。これらの情報は、新郎友人がゲスト端末Ｐ１から入力したものである。
【０１１４】
図２０の入力ページは、新郎新婦（佐藤孝・田中花子）が使用するホスト端末Ｑに表示されたものである。この入力ページでは、「画像入力ボックス５０」に画像Ｓ３が入力され、「ゲスト名入力ボックス５１」に「佐藤孝・田中花子（新郎新婦の名前Ｎ３）」が入力され、「コメント入力ボックス５２」に「本日は、私達の結婚披露宴に御出席頂き、ありがとうございました（新郎新婦のコメントＣ３）」が入力されている。これらの情報は、新郎新婦がホスト端末Ｑから入力したものである。
【０１１５】
ゲストや新郎新婦は、上記のボックス５０、５１、５２へ画像Ｓ・名前Ｎ・コメントＣを入力した後、「送信アイコン５３」を指定する操作を行う。これにより、ボックス５０、５１、５２に入力された画像Ｓ・名前Ｎ・コメントＣが、画像処理装置Ｕに送信される。
【０１１６】
画像文字情報受信手段４１は、入力ページに入力された画像Ｓ・名前Ｎ・コメントＣを、ゲスト端末Ｐまたはホスト端末Ｑから受信して、外部記憶部１２に記憶する（図１８のステップＳ３０２）。
【０１１７】
対応付け手段４２は、ステップＳ３０２で受信された画像Ｓと名前Ｎ・コメントＣとを対応付ける（ステップＳ３０３）。この対応付けは、後述の対応テーブル（図２１）にて行われる。この対応テーブルは、外部記憶部１２に記憶される。
【０１１８】
以上のステップＳ３０１〜Ｓ３０３は、ゲスト端末Ｐ１、Ｐ２、Ｐ３、・・・やホスト端末Ｑのいずれかが、入力ページのアドレスにアクセスするたびに実行される。そして、各回のステップＳ３０２では、ゲスト端末Ｐまたはホスト端末Ｑから受信された画像Ｓ・名前Ｎ・コメントＣが、外部記憶部１２に記憶される。また、各回のステップＳ３０３では、対応テーブルにおいて、ステップＳ３０２で受信された画像Ｓのデータ名と名前Ｎ・コメントＣとが対応付けられる。
【０１１９】
図２１は、ゲスト端末Ｐやホスト端末Ｑから受信された画像Ｓ・名前Ｎ・コメントＣが対応付けられた対応テーブルを示している。例えば、画像Ｓ１・名前Ｎ１・コメントＣ１は、ある回のステップＳ３０２で、ゲスト端末Ｇ１から受信されたものであり、同回のステップＳ３０３で、画像Ｓ１のデータ名「gazouS1.bmp」と名前Ｎ１・コメントＣ１とが対応付けられている。
【０１２０】
また例えば、画像Ｓ３・名前Ｎ３・コメントＣ３は、別の回のステップＳ３０２でホスト端末Ｐから受信されたものであり、同回のステップＳ３０３において、画像Ｓ３のデータ名「gazouS3.bmp」と名前Ｎ３・コメントＣ３とが対応付けられている。
【０１２１】
ステップＳ３０２で記憶された画像Ｓ・名前Ｎ・コメントＣや、ステップＳ３０３で画像Ｓと名前Ｎ・コメントＣとの対応付けが行われた対応テーブル（図２１）のデータが、スライド動画のデータに相当する。
【０１２２】
スライド動画を表示装置に表示する際には、上記のスライド動画のデータ（画像Ｓ・名前Ｎ・コメントＣ・対応テーブルのデータ）が、ＤＶＤ−ＲＡＭやＤＶＤ−ＲＷやインターネット等を通じて、表示装置にコピーまたはダウンロードされる。そして、このコピーまたはダウンロードされたスライド動画のデータが、表示装置のブラウザによって表示される。この際には、対応テーブル（図２１）に示される画像Ｓ１→画像Ｓ２→画像Ｓ３・・・の順序に従って、画像Ｓ１、Ｓ２、Ｓ３・・・が順次表示される。また、「名前Ｎ１、Ｎ２、Ｎ３・・・」「コメントＣ１、Ｃ２、Ｃ３・・・」が、それぞれ、対応テーブル（図２１）で対応付けられている「画像Ｓ１、Ｓ２、Ｓ３・・・」と同時に表示される。
【０１２３】
第２実施形態によれば、画像処理装置Ｕに記憶されるスライド動画（画像文字情報）に、ゲスト端末Ｇから入力されたゲストのコメントＣや、ホスト端末Ｑから入力された新郎新婦のコメントＣを含ませることができる。したがって、スライド動画（画像文字情報）が披露宴で上映されることで、ゲストや新郎新婦の想いを伝えることができる。
【０１２４】
また、スライド動画（画像文字情報）には、ゲスト端末Ｐから入力されたゲストの名前Ｎを含ませることができる。したがって、スライド動画（画像文字情報）が上映されることで、当該名前のゲストがイベントに出席していることを伝えることができる。
【０１２５】
また、コメントＣや入力者の名前Ｎが所定の画像Ｓと対応付けられることで、コメントＣや入力者の名前Ｎを所定の画像Ｓと同時に表示できる。このため、ゲストや新郎新婦の想いを具体的なイメージと共に伝えることができる。また、コメントＣと名前Ｎとを同時に表示できるので、コメントＣの入力者を伝えることができる。
【０１２６】
なお、コメントＣや名前Ｎは、画像Ｓとは関係なく、独自にスクロール表示されてもよい。この場合でも、コメントＣや名前Ｎが表示されることで、ゲスト等の想いや名前を伝えることができる。例えば、Javascript等のプログラムによれば、画像Ｓ１〜Ｓｎを所定の時間間隔で順次表示させながら、コメントＣ１〜Ｃｎや名前Ｎ１〜Ｎｎを、画面の上下方向或いは左右方向にスクロール表示させることができる。
【０１２７】
また、スライド動画に含ませる画像Ｓを、写真等の静止画とすることで、スライド動画のデータ容量を、小さく抑えることができる。したがって、スライド動画は、ダウンロードに長い時間を要せず、処理負荷の小さなものとなる。
【０１２８】
また、ゲスト端末Ｇやホスト端末Ｑから画像処理装置ＵにコメントＣや文字情報Ｍ（名前Ｎ・コメントＣ）が受信されると同時に、スライド動画にコメントＣや文字情報Ｍ（名前Ｎ・コメントＣ）が追加される。このため、上記コメントＣや文字情報Ｍ（名前Ｎ・コメントＣ）を追加する更新に時間を要しない。
【０１２９】
なお、第２実施形態では、スライド動画（図１６）に、文字情報Ｍとして、コメントＣ１や入力者の名前Ｎが含まれる例を示したが、コメントＣ１と名前Ｎのうち、いずれか一方のみがスライド動画に含まれるようにしてもよい。この場合、入力ページ（図１７，図１８）では、「名前入力ボックス５１」と「コメント入力ボックス５２」のうち、いずれか一方のみが表示される。
【０１３０】
また、画像処理装置ＵにインストールしたJavascriptやその他のプログラムにより、画像Ｓや文字情報Ｍ（コメントＣ・名前Ｎ）を表示する順序や時間が設定されてもよい。この設定は、例えば、図２１の対応テーブルに含まれるデータを並び替えたり、図２１の対応テーブルに表示時間を追記することで実現される。図２２の対応テーブルは、図２１の対応テーブルに対して、上述のデータの並び換えや、表示時間の追記を行なったものである。図２２の対応テーブルが表示装置にコピーまたはダウンロードされた場合には、画像Ｓ２・文字情報Ｍ２（名前Ｎ２・コメントＣ２）→画像Ｓ１・文字情報Ｍ１（名前Ｎ１・コメントＣ１）→画像Ｓ３・文字情報Ｍ３（名前Ｎ３・コメントＣ３）・・・の順序で、画像Ｓ・文字情報Ｍが表示される。また、画像Ｓ２・文字情報Ｍ２の表示時間Ｔ２が８秒とされ、画像Ｓ１・文字情報Ｍ１の表示時間Ｔ１が６秒とされ、画像Ｓ３・文字情報Ｍ３の表示時間Ｔ３が１０秒とされる。
【０１３１】
また、第２実施形態では、披露宴用のスライド動画を、画像処理装置Ｕに記憶させる例を示したが、パーティや忘年会などの各種イベントで上映するスライド動画を記憶するために、画像処理装置Ｕを使用可能である。例えば、忘年会用のスライド動画を画像処理装置Ｕに記憶させる場合には、入力ページのアドレスを示す紙媒体が、忘年会のゲストや幹事に配布される。そして、ゲストや幹事が、自身が使用する端末Ｐ，Ｑに、紙媒体に示されるアドレスを読み取らせて、入力ページにアクセスさせることで、図１８の処理が開始される。
【０１３２】
また、上記の紙媒体を制作することの代わりに、イベント会場で上映されるムービー（例えば披露宴が始まる前に上映されるムービー）によって、入力ページのアドレスが案内されてもよい。
【０１３３】
また、第１及び第２実施形態に示すハードウェア構成やフローチャートは一例であり、任意に変更および修正が可能である。
【０１３４】
例えば、第１実施形態に係るホスト入力ページ表示手段２０、画像アドレス受信手段２１、ゲスト入力ページ作成手段２２、メール送信手段２３、ゲスト入力ページ表示手段２４、文字情報受信手段２５、及び対応付け手段２６や、第２実施形態に係る入力ページ表示手段４０、画像文字情報受信手段４１、及び対応付け手段４２などから構成される処理を行う中心となる部分は、専用のシステムによらず、通常のコンピュータシステムを用いて実現可能である。たとえば、前記の動作を実行するためのコンピュータプログラムを、コンピュータが読み取り可能な記録媒体（フレキシブルディスク、ＣＤ−ＲＯＭ、ＤＶＤ−ＲＯＭなど）に格納して配布し、前記コンピュータプログラムを、ゲスト端末Ｇ，Ｐやホスト端末Ｈ，Ｑとインターネットを通じて通信可能なコンピュータにインストールして、処理を行う中心となる部分を構成してもよい。また、インターネットなどの通信ネットワーク上のサーバ装置が有する記憶装置に前記コンピュータプログラムを格納しておき、ゲスト端末Ｇ，Ｐやホスト端末Ｈ，Ｑとインターネットを通じて通信可能なコンピュータが上記のコンピュータプログラムをダウンロードなどすることで、処理を行う中心となる部分を構成してもよい。
【符号の説明】
【０１３５】
２０  ホスト入力ページ表示手段
２１  画像アドレス受信手段
２２  ゲスト入力ページ作成手段
２３  メール送信手段
２４  ゲスト入力ページ表示手段
２５  文字情報受信手段
２６、４２  対応付け手段
４０  入力ページ表示手段
４１  画像文字情報受信手段
Ｇ１、Ｇ２、Ｇ３、Ｐ１、Ｐ２、Ｐ３  ゲスト端末
Ｈ、Ｑ  ホスト端末
Ｔ、Ｕ  画像処理装置
【図１】
2016051336.tif 000003
【図２】
2016051336.tif 000004
【図３】
2016051336.tif 000005
【図４】
2016051336.tif 000006
【図５】
2016051336.tif 000007
【図６】
2016051336.tif 000008
【図７】
2016051336.tif 000009
【図８】
2016051336.tif 000010
【図９】
2016051336.tif 000011
【図１０】
2016051336.tif 000012
【図１１】
2016051336.tif 000013
【図１２】
2016051336.tif 000014
【図１３】
2016051336.tif 000015
【図１４】
2016051336.tif 000016
【図１５】
2016051336.tif 000017
【図１６】
2016051336.tif 000018
【図１７】
2016051336.tif 000019
【図１８】
2016051336.tif 000020
【図１９】
2016051336.tif 000021
【図２０】
2016051336.tif 000022
【図２１】
2016051336.tif 000023
【図２２】
2016051336.tif 000024